(57)【要約】      （修正有）【課題】腋皮膚ガス捕集具は腋に容易にはさんで保持でき、かつ皮膚表面に接する捕集室の内容積を小さく保つことが出来る腋皮膚ガス捕集具を提供する。【解決手段】上面開口した椀状形状の皮膚ガス捕集室１からなり、この皮膚ガス捕集室は台座部３を形成し、該台座部上端が外方へ水平に張り出した腋との密着性を高めるためのひだ部２と、台座部立ち上がり側面には捕集具の内部と外部をつなげるための皮膚ガス捕集のための清浄なガスを捕集具内に供給するチューブと捕集具内の皮膚ガスを回収するためのチューブが取り付けられている。【選択図】図２
0003186204.tif 000002
【実用新案登録請求の範囲】
【請求項１】
皮膚表面を覆い、その皮膚ガスを捕集する皮膚ガスサンプリングにおいて、腋の皮膚ガスを捕集する際の腋皮膚ガス捕集具に関して、前記捕集具は皮膚接触面とその上に設置されたかさ上げ部分からなり、腋にはさんで保持しサンプリングが可能とした腋皮膚ガス捕集具。
【請求項２】
請求項１記載の捕集具において、皮膚との接触のための幅広いひだを設けた腋皮膚ガス捕集具。
【考案の詳細な説明】
【技術分野】
【０００１】  本考案は、皮膚ガスを捕集用具で、腋の皮膚表面からの皮膚ガスの捕集に関する。腋皮膚ガス捕集具は腋に容易にはさんで保持でき、かつ採取皮膚表面に接する捕集具の内容積を小さく保つことが出来る捕集具に関する。
【背景技術】
【０００２】    これまでに皮膚ガスについては、捕集については、指からの捕集（文献１）、腕からの捕集（特許文献２）、が実施されており、これらのサンプリングを用いて得た皮膚ガス成分の測定は、皮膚ガス濃度が薄いために、試料皮膚ガスを低温装置に導入し濃縮したのち、ガスクロマトグラフにより皮膚ガス成分を測定している（文献３）。また皮膚ガスを指からサンプリングして、アルコールセンサーに導き、皮膚ガス中のアルコール濃度を測定し、アルコール摂取の判断に用いる方法を提供している。（文献４）。
また、迅速に皮膚ガスを測定する方法として、本出願人は指や腕、その他の人皮膚表面を覆い、その皮膚ガスを捕集する皮膚ガスサンプリング部と、捕集した皮膚ガスを送風するポンプ部を有し、ポンプからの送風ガスにより皮膚ガスはガス検知センサーへ導かれ、検知センサーは直列に接続し、通過ガスセンサーにより成分を検出した後、外部に放出されるようにして測定することを特徴とする皮膚ガスを用いたセンシング装置を考案（特許文献５）し、解決した。
しかしながら、これまで腋からの皮膚ガス捕集について、適切な方法がなかった。渦状の溝を持つ容器を皮膚に当てる皮膚透過ガス収集装置（特許文献２）を用いると、腋の形状が複雑でまた腋毛などの存在により適切に使用することが出来ない困難があった。また固定するために、皮膚透過ガス収集装置を常に反対側の手で保持するなどの困難があった。本出願はこれらの困難を解決するための方法を提供する。【０００３】
【特許文献１】特許公開  ２００６−２３４８４３号公報
【特許文献２】特許公開  ２００６−２３４８４４号公報
【非特許文献３】Ｎｏｒｉｏ  Ｙａｍａｎｅ，Ｔａｋａｏ  Ｔｓｕｄａ，Ｋａｚｕｔｏｓｈｉ  Ｎｏｓｅ，Ａｋｉｋｏ  Ｙａｍａｍｏｔｏ，Ｈｉｒｏｓｈｉ  Ｉｓｈｉｇｕｒｏ，Ｔａｋａｈａｒｕ  Ｋｏｎｄｏ，Ｃｌｉｎｉｃａ  Ｃｈｉｍｉｃａ  Ａｃｔａ  ３６５，３２５−３２９（２００６）．
【特許文献４】特許公開  ２００９−１７５１１１号公報
【特許文献５】実用新案登録第３１７５４６０号公報
【考案が解決しようとする課題】
【０００４】    これまで腋からの皮膚ガス捕集について、適切な方法がなかった。渦状の溝を持つ容器を皮膚に当てる皮膚透過ガス収集装置（特許文献２）を用いると、腋の形状が複雑でまた腋毛などの存在により適切に使用することが出来ない困難があった。また固定するために、皮膚プローブを常に反対側の手で保持するときに苦痛を伴うなどの困難があった。本考案はこれらの困難を解決するための方法を提供する。
本考案の腋皮膚ガス捕集具は腋に容易にはさんで保持でき、かつ採取皮膚表面に接する捕集具の内容積を小さく保つことが出来る捕集具である。
【課題を解決するための手段】
【０００５】  本考案の腋皮膚ガス採集具は腋に容易にはさんで保持でき、かつ採取皮膚表面に接する捕集具の内容積を小さく保つことが出来る捕集具である。
本考案の腋用皮膚ガス捕集具は、皮膚接触面にひだを設けて、捕集具の機密性をより高めた。皮膚接触面に腋毛などがあるときにそれらの妨害を受けにくいように機密を必要とする捕集室は単純な空間構造とした。
また皮膚ガスの取り込みは二本のチューブで実施し、そのチューブの容器内の位置は先端部が異なる配置とし、ガスが満遍なく捕集回収できるようにした。
また本腋用皮膚ガス捕集具は、腋で容易に腋を閉めることによりはさんで保持できるように、皮膚ガス捕集部の上に保持用の台座部を設置した。
【考案を実施するための形態】
【０００６】    実施例を図面に従って説明すると、図１は、腋皮膚ガスを捕集するための全体写真であり、皮膚ガス捕集部Ａと皮膚ガスサンプリング管Ｂより成る。写真は天地反転させている。
【０００７】    図２は下側に皮膚表面を設置したときの写真である。皮膚ガス捕集室１と皮膚に接触するひだ部２と台座部３より成る。
【０００８】    図３は皮膚ガス捕集具を天地反転した写真である。捕集室にたまった皮膚ガスを二本のサンプリングチューブでサンプリングする。ガスの出口４とガスの入口５からなる。一定速度でポンプなどにより清浄なガスを供給する装置を用いて、サンプリングチューブにガスを供給する。供給されたガスはサンプリングチューブを通り皮膚ガス捕集部にたまった皮膚ガスを回収するために用いる。
【０００９】    本考案の腋用皮膚ガス捕集具は、皮膚接触面にひだを設けて、捕集具の機密性をより高めた。すなわち皮膚ガス捕集具の皮膚接触面に腋毛などがあるときは、前記捕集具のひだ部分により腋毛などを皮膚にめり込ませすることができ、皮膚ガス捕集部の機密が容易に保つことが出来た。
捕集部内部の構造は単純な空間構造とした。これにより腋毛や皮膚の凹凸を容易に皮膚ガス捕集部の空間内に収めることが出来る構造になっている。
また皮膚ガス捕集部からの皮膚ガスの取り込みは、二本のチューブを用いその捕集部内部でのそれらの先端の位置が異なる配置とし、ガスが満遍なく捕集回収できるようにした。
【００１０】    また本腋用皮膚ガス捕集具は、腋で容易に保持できるように、皮膚ガス捕集部の上に保持用の台座を設置した。
この台座は、皮膚ガス捕集部の皮膚接触面からの高さを出来るだけ小さく保つ効果もあった。すなわち皮膚ガス採集部内に捕集された皮膚ガス濃度を高めることが可能となった。
【００１１】    本考案の腋皮膚ガス捕集具は腋に容易にはさんで保持でき、かつ捕集皮膚表面に接する捕集部の内容積を小さく保つことが出来る捕集具の特徴を持つ。
図示は省略するが送風ガスを採集するサンプリング容器に連続的に通じて、そのままセンサ一列に送り込んだ事例では、皮膚からの化学成分が常時放出されているが、生理的な刺激を与えると放出が増加した。
【考案の効果】
【００１２】  以上説明したように本考案は、腋の人肌から放出される皮膚ガスを容易に捕集できる捕集具を提供する。この捕集具の使用により、腋の皮膚ガスを捕集して、直ちにセンサーによる応答を得て、健康状態のモニターに使用することが出来る。
また腋からの皮膚ガスを本発明の捕集具を用いて、連続的に捕集し、直ちに溶液に捕集してイオンクロマトグラフで測定することが出来る。それらの応答より例えばアンモニアガスの濃度から人の疲労などの健康状態に関連したデーターを精度良く提供が出来る。
皮膚ガスはこれまでに糖尿病疾患、慢性肝疾患、アルコール摂取との関連が報告されており、これらの疾病との推測に供することが可能となる。
また本捕集具は、人の体表面の中でも匂いの原因のひとつである腋部からの皮膚ガスを捕集することにより、腋臭の化学物質が明らかにでき、快適な生活を送るための工夫の解決に寄与できる。
【図面の簡単な説明】
【００１３】
【図１】本考案による皮膚ガス捕集具の全体写真である。
【図２】本装置の皮膚に設置した状態を示す。
【図３】本装置の図２を天地反転させた状態を示す。
【符号の説明】    Ａ  皮膚ガス捕集部
Ｂ  皮膚ガスサンプリング管
１  皮膚ガス捕集室
２  ひだ部
３  台座部
４  ガスの出口
５  ガスの入口
【図１】
0003186204.tif 000003
【図２】
0003186204.tif 000004
【図３】
0003186204.tif 000005
【手続補正書】
【提出日】平成25年7月10日(2013.7.10)
【手続補正１】
【補正対象書類名】実用新案登録請求の範囲
【補正対象項目名】全文
【補正方法】変更
【補正の内容】
【実用新案登録請求の範囲】
【請求項１】
上面開口した椀状形状の皮膚ガス捕集室からなり、この皮膚ガス捕集室は台座部を形成し、該台座部上端が外方へ水平に張り出した腋との密着性を高めるためのひだ部と、台座部立ち上がり側面には捕集具の内部と外部をつなげるための皮膚ガス捕集のための清浄なガスを捕集具内に供給するチューブと捕集具内の皮膚ガスを回収するためのチューブが取り付けられた腋皮膚ガス捕集具。
【手続補正２】
【補正対象書類名】明細書
【補正対象項目名】０００５
【補正方法】変更
【補正の内容】
【０００５】  本考案の腋皮膚ガス採集具は腋に容易にはさんで保持でき、かつ採取皮膚表面に接する捕集具の内容積を小さく保つことが出来る捕集具である。
本考案の腋用皮膚ガス捕集具は、上面開口した椀状形状の皮膚ガス捕集室からなり、この皮膚ガス捕集室は台座部を形成し、該台座部上端が外方へ水平に張り出したひだ部からなる。さらに台座部立ち上がり側面には捕集具の内部と外部をつなげる二本のチューブが取り付けられ、そのうちの一本は皮膚ガス捕集のための清浄なガスを捕集具内に供給するものであり、他の一本は捕集具内の皮膚ガスを回収するためのものである。上記ひだ部は腋の皮膚接触面にひだを設けて、捕集具の機密性をより高めた。皮膚接触面に腋毛などがあるときにそれらの妨害を受けにくいように機密を必要とする捕集室は単純な空間構造とした。